(57)【要約】【課題】支持体の固着体に対する相対位置を調整し易くして、樋支持位置を調整し易くした取付具を提供する。【解決手段】本発明は、壁面に樋２７を取り付ける取付具１であって、固着体２にスライド自在で支持体１０を取り付けると共に、固着体２に対する支持体１０のスライド位置を規定する規定部１５を有し、規定部１５が、スライド方向に長尺の長穴１８と、突起１６とを備えると共に、固着体２と支持体１０のうち、突起１６を一方に設け、長穴１８を残りの一方に設け、長穴１８の長手方向に沿った周縁に、突起１６に嵌り合う凹部１７を長手方向に並んで複数設け、固着部又は支持体１０の左右両側に突起１６と凹部１７との嵌り合いを解除する操作部１９を設けて成る。これによって、本発明の取付具１は、支持体１０の固着体２に対する位置を調整して、樋支持位置を調整し易くすることができる。【選択図】図１
2013163935.tif 000002
【特許請求の範囲】
【請求項１】
壁面に樋を取り付ける取付具であって、
前記取付具を基準に、前記壁面側を後方とし、前記樋側を前方とし、
前記壁面に固着される固着体と、前記樋を支持する支持体とを備え、
前記支持体を前記固着体に対して上下又は前後にスライド自在に取り付けると共に、
前記固着体に対する前記支持体のスライド位置を規定する規定部を有し、
前記規定部が、前記支持体のスライド方向に沿って長尺の長穴と、前記長穴に挿入される突起とを備えると共に、
前記突起を前記固着体と前記支持体のうちの一方に設け、前記長穴を残りの一方に設け、
前記長穴が長手方向に沿った周縁に、前記突起に嵌り合う凹部を長手方向に並んで複数有し、
前記固着部又は前記支持体の前記規定部を設けた部位の左右両側に、前記固着体又は前記支持体を撓ませて前記突起と前記凹部との嵌り合いを解除する操作部を設けて成る
ことを特徴とする取付具。
【請求項２】
前記壁面に前記樋として竪樋を取り付ける控具であって、
前記固着体の前方に前記支持体を上下にスライド自在で取り付け、
前記支持体が、前記竪樋を支持する支持部を前方に突出して左右両側に有し、
前記固着体が、前記支持部を後方から覆う覆い片を左右両側に有し、
前記支持部と前記覆い片のうち、一方に前記突起を設け、残りの一方に前記長穴を設け、
前記支持部を前記操作部としたものである
ことを特徴とする請求項１に記載の取付具。
【請求項３】
前記壁面に前記樋として軒樋を取り付ける吊り具であって、
前記固着体が、前方に突出し前記支持体の上方又は下方に位置する突出部を有し、
前記突出部に前記支持体を前後にスライド自在で取り付け、
前記突出部と前記支持体のうち、一方に前記突起を設け、残りの一方に前記長穴を設け、
前記突出部と前記支持体のうち、上方側に位置する部材の左右両側に、上方に突出して前記操作部を設けて成る
ことを特徴とする請求項１に記載の取付具。
【発明の詳細な説明】
【技術分野】
【０００１】
本発明は、壁面に樋を取り付ける取付具に関するものである。
【背景技術】
【０００２】
従来から、樋を壁面に取り付ける構造として、例えば、特許文献１等に示すように、竪樋を建物の外壁に支持する竪樋支持装置がある。この竪樋支持装置では、竪樋継手に設けた対の係止爪部を、支持具の挟持片部で挟持することで、竪樋を支持する。
【０００３】
また、従来から、樋を壁面に取り付ける取付具として、例えば、特許文献２に示すように、鼻隠し板等に取り付け軒樋を支持する支持具がある。この支持具は、鼻隠し板等に取り付けられる取付体と、軒樋を支持する支持具本体とからなる。そして、支持具本体は、連結ピン及び蝶ナットとで、取付体に止着されている。
【先行技術文献】
【特許文献】
【０００４】
【特許文献１】特開２００３−９６９９７号公報
【特許文献２】特開２００４−１８３３９４号公報
【発明の概要】
【発明が解決しようとする課題】
【０００５】
ところで、特許文献１の竪樋支持装置等の竪樋用の支持具では、施工時等において、壁面に固着した後、竪樋継手を取り付けている。そのため、従来の支持具では、壁面に固定した上下位置が、竪樋継手の上下位置に対して上下にずれて位置し易く、上下において、竪樋継手と略同レベルに位置するように、位置決めして壁面に固定することが困難である。そして、従来の支持具では、上下において、竪樋を支持する位置（樋支持位置）を調整する場合、例えば壁面から取り外して再度付け直す等、複雑な作業や大掛かりな作業になり易いという問題がある。
【０００６】
また、特許文献１等の軒樋用の支持具では、取付体に対する支持具本体の前後位置（前後における樋支持位置）を調整することで、屋根に対して軒樋の前後位置を調整している。この調整時あっては、蝶ナットを緩めて、支持具本体を取付体に対して前後にスライド可能な状態にして、支持具本体の取付体に対する前後位置を調整する。そして、この位置調整後に、吊り具は、蝶ナットを締め付けて、調整した位置で支持具本体を取付体に対してスライド不能な状態に止着する。そのため、この吊り具では、軒樋を支持する位置（樋支持位置）を調整する場合、蝶ナットを緩めたり締めたりする作業等が手間になり易いという問題がある。
【０００７】
つまり、従来の取付具では、樋支持位置を調整する場合に、複雑な作業や大掛かりな作業を行うことになり易い。そのため、従来の取付具では、樋支持位置を調整し難いという問題がある。
【０００８】
そこで、本発明は、前記従来の問題点に鑑みて発明したもので、その目的とするところは、支持体の固着体に対する相対位置を調整し易くして、樋を支持する位置（樋支持位置）を調整し易くした取付具を提供することにある。
【課題を解決するための手段】
【０００９】
上記課題を解決するために、本発明は、壁面に樋を取り付ける取付具であって、前記取付具を基準に、前記壁面側を後方とし、前記樋側を前方とし、前記壁面に固着される固着体と、前記樋を支持する支持体とを備え、前記支持体を前記固着体に対して上下又は前後にスライド自在に取り付けると共に、前記固着体に対する前記支持体のスライド位置を規定する規定部を有し、前記規定部が、前記支持体のスライド方向に沿って長尺の長穴と、前記長穴に挿入される突起とを備えると共に、前記突起を前記固着体と前記支持体のうちの一方に設け、前記長穴を残りの一方に設け、前記長穴が長手方向に沿った周縁に、前記突起に嵌り合う凹部を長手方向に並んで複数有し、前記固着部又は前記支持体の前記規定部を設けた部位の左右両側に、前記固着体又は前記支持体を撓ませて前記突起と前記凹部との嵌り合いを解除する操作部を設けて成ることを特徴とする。
【００１０】
この取付具として、前記壁面に前記樋として竪樋を取り付ける控具であって、前記固着体の前方に前記支持体を上下にスライド自在で取り付け、前記支持体が、前記竪樋を支持する支持部を前方に突出して左右両側に有し、前記固着体が、前記支持部を後方から覆う覆い片を左右両側に有し、前記支持部と前記覆い片のうち、一方に前記突起を設け、残りの一方に前記長穴を設け、前記支持部を前記操作部としたものであることが好ましい。
【００１１】
この取付具として、前記壁面に前記樋として軒樋を取り付ける吊り具であって、前記固着体が、前方に突出し前記支持体の上方又は下方に位置する突出部を有し、前記突出部に前記支持体を前後にスライド自在で取り付け、前記突出部と前記支持体のうち、一方に前記突起を設け、残りの一方に前記長穴を設け、前記突出部と前記支持体のうち、上方側に位置する部材の左右両側に、上方に突出して前記操作部を設けて成ることが好ましい。
【発明の効果】
【００１２】
本発明は、前記構成を備えたことで、支持体と固着体とを互いに当接した状態で蝶ナットやねじ等で締め付けて固定した場合と異なり、蝶ナット等を緩めなくても、操作部によって容易に、支持体を固着体に対してスライド自在な状態にすることができる。そのため、本発明は、スライド自在でない取付具はもちろん、蝶ナット等で締め付けて固定した取付具に比べて、支持体の固着体に対する相対位置を調整し易くすることができて、樋支持位置を調整し易くすることができるという効果を奏する。
【図面の簡単な説明】
【００１３】
【図１】第１実施形態の取付具であり、（ａ）が平面図であり、（ｂ）が正面図である。
【図２】第１固着体であり、（ａ）が平面図であり、（ｂ）が正面図である。
【図３】（ａ）図１の領域Ｂの第１規定部近傍での断面図であり、（ｂ）が第１規定部を第１支持体側から側板部に直交して視た図である。
【図４】竪樋及び取付具の斜視図である。
【図５】図４の領域Ｃの拡大図であり、（ａ）が側面図であり、（ｂ）が背面図であり、（ｃ）が竪樋継手の平面図である。
【図６】取付具に竪樋継手を取り付けた状態の平面図である。
【図７】第２実施形態の取付具の側面図である。
【図８】第２固着体であり、（ａ）が平面図であり、（ｂ）が側面図であり、（ｃ）が正面図である。
【図９】第２支持体であり、（ａ）が平面図であり、（ｂ）が側面図であり、（ｃ）がＥ−Ｅ断面図である。
【図１０】図７の領域Ｄの拡大図であり、（ａ）が側断面図であり、（ｂ）が下面図である。
【図１１】第２操作部による第２規定部の解除動作の説明図である。
【発明を実施するための形態】
【００１４】
本発明を、添付図面に示す実施形態に基づいて説明する。
【００１５】
第１実施形態の取付具１は、建物の壁面に樋２７を取り付けるためのものである。そして、本実施形態において、壁面（不図示）は建物の壁面になっている。樋２７は、図４に示されるように、上下に長尺の竪樋５５になっている。竪樋５５は、上下に並べて配置される竪樋部材５６ａと、上下に並ぶ竪樋部材５６ａ同士を連結する竪樋継手５６ｂとを有する。取付具１は、竪樋継手５６ｂで竪樋５５を壁面に取り付けることで、竪樋５５を壁面に対して固定する（支持する）控具３０になっている。以下、控具３０を基準に、壁面側を後方とし、竪樋５５側を前方とする。
【００１６】
竪樋継手５６ｂは、図５に示すように、対応する竪樋５５の断面形状に合致する略筒形状になっている。そして、竪樋継手５６ｂは後面側に、控具３０に支持される被支持部２８（第１被支持部５７）を左右一対で有する。第１被支持部５７は後方に突出して設けてある。第１被支持部５７は、突出先端に爪部５８を有し、爪部５８は左右外側に突出する。そして、竪樋継手５６ｂは、図６に示すように、爪部５８を控具３０に掛け止めることで、控具３０に取り付けられて、この控具３０に支持される。
【００１７】
控具３０は、図１に示すように、壁面に固着される固着体２（第１固着体３１）と、竪樋５５を支持する支持体１０（第１支持体４０）とを備える。
【００１８】
第１固着体３１は、図２に示すように、壁面に取り付ける壁面固着部３（第１固着部３２）と、第１固着部３２から前方に突出する突出部４（第１突出部３３）とを有する。第１固着部３２は、ねじ等の固着部材（不図示）によって、壁面に固着される。第１突出部３３は第１固着部３２に一体で設けてあり、第１固着部３２の左右の一端から前方に突出する。そして、第１突出部３３は突出先端に、第１支持体４０を取り付ける取付部５（第１取付部３４）を有する。
【００１９】
第１取付部３４は、図１乃至図６に示すように、第１突出部３３の突出先端から左右の一方（一側）に突出した板状部６（第１板状部３５）と、第１板状部３５から前方に突出したスライド軸８（第１スライド軸３６）とを有する。第１板状部３５は第１突出部３３と一体に設けてある。そして、第１板状部３５は、図２に示すように、平板状で、板面が前後方向を向く。更に、第１板状部３５は、左右の略中央で且つ前後の略中央に、第１スライド軸３６を取り付ける取付孔７（第１取付孔３７）を有する。第１取付孔３７は前後に貫通して設けてある。
【００２０】
第１スライド軸３６は、図１に示すように、ビスやボルト等の軸部材２０で形成してある。軸部材２０は、第１板状部３５に固定してある。軸部材２０は、固定した状態で、頭部２１が第１板状部３５の後方に位置し、軸部２２が第１取付孔３７を貫通して、第１板状部３５から前方に突出して位置する。言い換えると、軸部材２０は、軸部２２が第１スライド軸３６として第１板状部３５から前方に突出する。そして、第１取付部３４は、第１スライド軸３６を第１支持体４０に挿通してある。更に、第１スライド軸３６の前端には抜け止め部２３が設けてあり、第１スライド軸３６を挿通した状態に第１支持体４０を保持する（抜け止めする）。
【００２１】
第１支持体４０は、平板状の後板部４１と、二つの側板部４２とを有する。
【００２２】
後板部４１は平板状で、板面が前後方向を向く。そして、後板部４１は、第１取付部３４に取り付けられる被取付部１１（第１被取付部４３）になっている。後板部４１（第１被取付部４３）は、第１スライド軸３６の直径に比べて、上下に長尺のスライド孔１２（第１スライド孔４４）を有する。第１スライド孔４４は、前後に貫通して形成してある。そして、第１スライド孔４４には、第１スライド軸３６を挿通してある。更に、第１支持体４０は、第１スライド軸３６に第１スライド孔４４の周縁が接触することで、第１固着体３１に対する移動方向が上下に規定される。言い換えると、第１支持体４０は、第１固着体３１に対して上下にスライド自在（相対移動自在）になっている。
【００２３】
側板部４２は後板部４１の左右両側の端縁から夫々前側に突出しており、後板部４１と一体に設けてある。言い換えると、第１支持体４０は、前方に向けて開いた平面視略Ｕ字状になっている。そして、第１支持体４０は、側板部４２の左右の間隔が前方側程広くなる。更に、側板部４２は後板部４１に対して弾性を有する。
【００２４】
また、側板部４２は夫々、爪部５８を取り付ける樋支持部１３（竪樋支持部４５）になっている。竪樋支持部４５は、爪部５８を挿通可能な挿通開口４６を有する。挿通開口４６は側板部４２の板面に貫通して形成してある。そして、竪樋支持部４５は、挿通開口４６の周縁のうち、前側の長尺な周縁（前周縁）に、爪部５８を掛け止め可能になっている。そのため、控具３０は、爪部５８を竪樋支持部４５（挿通開口４６の前周縁）に掛け止めることで、竪樋５５が取り付けられる。これによって、控具３０は、竪樋５５を支持する。
【００２５】
更に、挿通開口４６は、爪部５８の上下寸法に比べて、上下に長尺で形成してある。そして、竪樋支持部４５は挿通開口４６の上下の略中央に、爪部５８が掛け止めてあり、爪部５８は挿通開口４６に掛け止めた状態で上下に移動自在になっている。言い換えると、竪樋支持部４５は、挿通開口４６の上下の略中央に爪部５８を掛け止めることで、竪樋５５を取り付けた状態を保持して、竪樋継手５６ｂの上下の移動を許容する。
【００２６】
また、控具３０は、図１に示すように、第１固着体３１の第１支持体４０に対する上下のスライド位置（相対位置）を規定する規定部１５（第１規定部４９）をさらに備える。第１規定部４９は、第１固着体３１に設けた突起１６（第１突起５０）と、第１支持体４０に設けた凹部１７（第１凹部５１）とを有する。そして、第１規定部４９は、図３に示すように、第１突起５０と第１凹部５１とが嵌り合うことで、前記スライド位置を規定する。
【００２７】
第１突起５０は、図２に示すように、第１固着体３１の覆い片３８に設けてある。覆い片３８は平板状で、第１取付部３４の左右両端から前方に延長して設けてある。覆い片３８は、第１固着体３１に第１支持体４０を取り付けた状態で、正面視（前後方向に視て）前端縁が挿通開口４６内に位置する。そのため、覆い片３８は、図３に示すように、第１固着体３１に第１支持体４０を取り付けた状態で、側板部４２の少なくとも挿通開口４６の一部を含む後面側を覆う。また、第１突起５０は、図２に示すように、覆い片３８の前面から前方に突出する。第１突起５０は左右の覆い片３８に夫々二つ設けてある。そして、この二つの第１突起５０は上下に並んで位置する。
【００２８】
第１凹部５１は、図１に示すように、第１支持体４０の挿通開口４６に複数設けてある。具体的には、第１凹部５１は、挿通開口４６の後側の長尺な周縁（後周縁）の略全体に亘って設けてある。第１凹部５１は、後周縁に対向する前周縁側に向けて開口した形状で、板面に貫通して形成してある。そして、複数の第１凹部５１は略同じ形状になっており、上下に略等間隔で並ぶ。更に、第１凹部５１の数は、第１突起５０の数より多い。
【００２９】
そのため、第１規定部４９は、図３に示すように、いずれかの第１凹部５１に第１突起５０を嵌め合わせることで、第１支持体４０を上下にスライド不能にする。言い換えると、第１規定部４９は、後板部４１より右側の上下二箇所と左側の上下の二箇所とで、第１支持体４０の第１固着体３１に対する上下位置（スライド位置）を規定する。これによって、控具３０は、スライド不可能な状態で、第１支持体４０を第１固着体３１に取り付けることができる。そして、控具３０は、いずれの第１凹部５１に第１突起５０を嵌め合わせるかによって、第１固着体３１に対する第１支持体４０のスライド位置を変更することができる。
【００３０】
更に、控具３０は、側板部４２（竪樋支持部４５）の第１凹部５１より前方側の部位を、左右内向きに（左右中央側に向けて）押圧することで、後板部４１に対して側板部４２を撓ませることができる。言い換えると、控具３０は、両側板部４２の前方側の部位を左右内向きに押圧することで、両側板部４２が左右内向きに回動して、側板部４２が覆い片３８から離れる向きに撓む。これによって、第１支持体４０は、第１凹部５１から第１突起５０が離脱して、第１突起５０と第１凹部５１との嵌り合いを解除することができる。そして、控具３０は、嵌り合いを解除することで、第１支持体４０が第１固着体３１に対して上下にスライド可能な状態（相対移動可能な状態）になる。
【００３１】
言い換えると、側板部４２（竪樋支持部４５）の前記部位は、第１規定部４９の嵌り合いを解除するための操作部１９（第１操作部５２）になっている。そして、控具３０は、第１操作部５２を介して側板部４２を撓ませて、嵌り合いを解除することで、スライド位置の規定（第１規定部４９による位置規定）を解除することができる。
【００３２】
以上のように、本件の取付具１（控具３０）は、第１支持体４０を第１固着体３１に対して上方や下方にスライド自在となっている。これによって、本例の控具３０は、竪樋継手５６ｂを支持する上下位置を、壁面に固着した上下位置に対して上下に調整することができる。言い換えると、本例の控具３０は、第１固着体３１を壁面に固着した状態で、爪部５８が挿通開口４６内に位置するように、第１支持体４０の上下位置を調整することができる。
【００３３】
そのため、本例の控具３０は、控具３０より後に竪樋継手５６ｂを施工する際に、竪樋継手５６ｂが第１固着体３１に対して上下にずれて位置した場合であっても、竪樋継手５６ｂ（竪樋５５）を壁面に支持し易くすることができる。言い換えると、本例の控具３０は、第１固着体３１に対して第１支持体４０を上下に相対移動（スライド移動）させることで、竪樋５５を支持する位置（樋支持位置）を上下に調整することができる。
【００３４】
そして、本例の控具３０は、第１支持体４０の上下位置（樋支持位置）を調整することで、爪部５８が挿通開口４６の上下の略中央に位置するように、第１支持体４０に竪樋継手５６ｂを取り付けることができる。言い換えると、本例の控具３０は、竪樋５５の上下の移動を許容した状態で、竪樋支持部４５に竪樋５５を取り付けることができる。これによって、本例の控具３０は、竪樋部材５６ａの上下方向における伸縮に伴い竪樋継手５６ｂが上方や下方に移動した場合に、爪部５８（竪樋５５）が控具３０から離脱し難くすることができる。
【００３５】
更に、本例の控具３０は、竪樋支持部４５に、スライド方向に沿って長尺の長穴１８（挿通開口４６）が設けてある。そして、控具３０は、この長穴１８（挿通開口４６）の長手方向（スライド方向）に沿った周縁に、第１凹部５１を長手方向に並んで複数有する。また、控具３０は、第１固着体３１の覆い片３８の第１凹部５１と嵌り合う位置に、第１突起５０が設けてある。更に、控具３０は、竪樋支持部４５の第１凹部５１より前方側の部位が、第１突起５０と第１凹部５１との嵌り合いを解除する第１操作部５２になっている。
【００３６】
これらによって、本例の控具３０は、第１支持体４０をスライド不能とした状態から、第１操作部５２によって第１規定部４９の位置規定を解除することで、第１支持体４０をスライド可能な状態に切り替えることができる。そのため、本例の控具３０は、支持体と固着体とを互いに当接した状態でねじやボルトナット等で締め付けて固定した控具と異なり、ねじ等の緩め作業等を行わなくても、容易にスライド可能な状態に切り替えることができる。
【００３７】
つまり、本例の控具３０は、スライド自在でない控具はもちろん、ねじ等で締め付け固定した控具に比べて、第１支持体４０の第１固着体３１に対する上下位置を調整し易くすることができる。これによって、本例の控具３０は、竪樋継手５６ｂと第１支持体４０の相対位置を調整し易くすることができる。
【００３８】
更に、本例の控具３０は、例えば支持体を回転させる等の、支持体の固着体に対する向きを変更せずに、第１支持体４０の第１固着体３１に対する上下位置を変更することができる。これによって、本例の控具３０は、竪樋５５を支持する姿勢で、第１支持体４０の第１固着体３１に対する上下位置を調整することができる。
【００３９】
次に、第２実施形態の取付具１を説明する。なお、本例の説明において、前述の取付具１（控具３０）と共通の構成には同一の符号を付し、共通する説明は省略する。
【００４０】
本実施形態において、壁面（不図示）は建物の鼻隠し板等の軒先構成部材の外面になっており、樋２７は左右に長尺の軒樋８０（詳細は後述する）になっている。そして、取付具１は、軒先構成部材の外面（壁面）に軒樋８０を取り付ける吊り具６０になっている。以下、吊り具６０を基準に、軒樋８０側を前方とし、壁面側を後方とする。
【００４１】
まず、軒樋８０について説明する。軒樋８０は、左右に長尺の略箱状で、図７に示すように、上方が開放部になっている。そして、軒樋８０は、前面部の上端及び後面部の上端に、吊り具６０に係止される被支持部２８（第２被支持部８１）を有する。第２被支持部８１は、後方下向きに突出した掛け止め部８２を有する。そして、軒樋８０は、この掛け止め部８２を吊り具６０に引っ掛けることで、吊り具６０に支持される。
【００４２】
吊り具６０は、壁面に固着される固着体２（第２固着体６１）と、軒樋８０を支持する支持体１０（第２支持体６８）とを備える。そして、吊り具６０は、第２固着体６１を第２支持体６８に対して前後にスライド自在で取り付けてある。更に、吊り具６０は、第２固着体６１の第２支持体６８に対するスライド位置を規定する規定部１５（第２規定部７４）を有する。
【００４３】
具体的には、第２固着体６１が、図８に示すように、壁面に取り付ける壁面固着部３（第２固着部６２）と、第２固着部６２から前方に突出する突出部４（第２突出部６３）とを有する。第２固着部６２は、平板状で、板面が前後を向く。そして、第２固着部６２は、後面を壁面に当接した状態で、ねじ等の固着部材によって壁面に固着される。
【００４４】
第２突出部６３は第２固着部６２の上端から前方に突出する。そして、第２突出部６３は、第２固着部６２に一体で設けてある。更に、第２突出部６３は、正面視の断面形状が下向き略Ｕ字形状になっており、Ｕ字の内側に第２支持体６８が位置する。また、第２突出部６３は突出した先端に、取付部５（第２取付部６４）を有する。
【００４５】
第２取付部６４は、第２突出部６３の突出先端である板状部６（第２板状部６５）と、第２板状部６５から下方に突出したスライド軸８（第２スライド軸：不図示）とを有する。第２板状部６５は平板状で、板面が上下方向を向く。そして、第２板状部６５は、左右の略中央で且つ前後の略中央に、第２スライド軸を取り付ける取付孔７（第２取付孔６６）を有する。第２取付孔６６は上下に貫通して設けてある。そして、第２取付孔６６には、第２スライド軸となる軸部材２０（不図示）が挿通してある。
【００４６】
軸部材２０は第２固着体６１に固定してある。そして、軸部材２０は、第２取付孔６６及び第２支持体６８の第２スライド孔７１（詳細は後述する）に、第２スライド軸となる軸部２２が挿通してある。そして、軸部材２０の頭部２１又は軸部２２の先端に設けた抜け止め部２３（不図示）によって、第２支持体６８が第２スライド軸を挿通した状態に抜け止めされる。
【００４７】
また、第２板状部６５は、第２規定部７４の突起１６（第２突起７５）が四つ設けてある。第２突起７５は第２板状部６５の下面から下方に突出する。そして、第２突起７５は、第２取付孔６６より前方と、第２取付孔６６より後方とに左右一対で位置する。言い換えると、第２規定部７４は、第２取付孔６６の前方の左右二箇所と後方の左右二箇所とで、第２支持体６８のスライド位置を規定する。
【００４８】
第２支持体６８は、図９に示すように、前後に長尺になっている。そして、第２支持体６８は、軒樋８０を支持する二つの樋支持部１３（軒樋支持部７２）と、両軒樋支持部７２を連結する連結部６９とを有する。連結部６９は前後に長尺となっている。そして、連結部６９は、正面視の断面形状が下向き略Ｕ字形状になっており、第２突出部６３のＵ字の内側に位置する。
【００４９】
更に、連結部６９の長手方向の両端（前端及び後端）には、軒樋支持部７２が夫々設けてある。前方側の軒樋支持部７２ａは、連結部６９の前端から上方に突出して設けてある。後方側の軒樋支持部７２ｂは、連結部６９の後端から下方に突出した縦板部７３ａと、下板部の下端から前方に突出した横板部７３ｂとを有する。言い換えると、後方側の軒樋支持部７２ｂは前方に凸の側面視略Ｌ字形状になっている。また、後方側の軒樋支持部７２ｂは、横板部７３ｂの前端に、上方に凸の係止爪７３ｃが設けてある。
【００５０】
そして、吊り具６０は、図７に示すように、前方の軒樋支持部７２ａに、軒樋８０の前方側（前面部の上端）の第２被支持部８１の掛け止め部８２が掛け止められる。後方の軒樋支持部７２ｂには、軒樋８０の後方側（後面部の上端）の第２被支持部８１を横板部７３ｂの上方に位置した状態で、この第２被支持部８１の掛け止め部８２が係止爪７３ｃに掛け止められる。これらによって、軒樋８０は吊り具６０に取り付けることができて、この取り付けた軒樋８０は、吊り具６０によって壁面に支持される。
【００５１】
また、連結部６９は、図９に示すように、長手方向の略中間の部位に、被取付部１１（第２被取付部７０）を有する。第２被取付部７０は平板状で、板面が上下方向を向く。そして、第２被取付部７０は、前後に長尺の長穴１８（第２スライド孔７１）を有する。第２スライド孔７１は上下に貫通して第２被取付部７０に設けてある。そして、第２スライド孔７１には、第２スライド軸が挿通してある。更に、第２支持体６８は、第２スライド軸に第２スライド孔７１の周縁が接触することで、第２固着体６１に対する移動方向が前後に規定される。言い換えると、第２支持体６８は、第２固着体６１に対して前後にスライド自在になっている。
【００５２】
更に、第２スライド孔７１は、その長手方向に沿った周縁（左右の両周縁）に、複数の凹部１７（第２凹部７６）を有する。そして、第２凹部７６の数は、第２突起７５の数より多い。つまり、第２規定部７４は、第２凹部７６のある長穴１８を、第２支持体６８の連結部６９に設け、第２凹部７６に嵌り合う第２突起７５を、第２固着体６１の第２取付部６４に設けた構成になっている。
【００５３】
そして、吊り具６０は、図１０乃至図７に示すように、第２突起７５をいずれかの第２凹部７６に嵌め込む（嵌め合わす）ことで、第２支持体６８の第２固着体６１に対するスライド位置を規定する。そして、この第２突起７５と第２凹部７６との嵌め合わせは、第２被取付部７０の上方に第２取付部６４を重ねた状態で行われる。これらによって、吊り具６０は、第２支持体６８を第２固着体６１にスライド不可能な状態で取り付けることができる。
【００５４】
また、図８に示すように、第２取付部６４は第２板状部６５の左右両側に、操作部１９（第２操作部７７）を有する。第２操作部７７は第２板状部６５の左右両端に沿って設けてあり、この左右両端から上方に突出して形成してある。そのため、第２固着部６２は、第２板状部６５と第２操作部７７とを設けた部位において、正面視の断面形状が上向き略Ｕ字形状になっている。
【００５５】
そして、左右の第２操作部７７は、図１１に示すように、互いの上端を近づける向き（左右内向き）に押圧操作されることで、第２取付部６４（第２突出部６３の突出先端）を左右に撓ませる。言い換えると、吊り具６０は、左右の第２操作部７７の上端側がその下端側に対して左右内向きに回動することで、第２取付部６４が左右両端を凸とした正面視略円弧形状に湾曲する。これによって、吊り具６０は、第２突起７５が第２凹部７６から離脱して、第２規定部７４によるスライド位置の規定が解除される。そして、吊り具６０は、スライド位置の規定が解除されることで、第２支持体６８が第２固着体６１に対して前後にスライド可能な状態（相対移動可能な状態）になる。
【００５６】
ところで、軒樋８０は、建物の屋根から流下した雨水を受けるものであるため、軒樋８０の開放部を屋根の下端の略直下に位置するように、壁面からの前方への突出量を調整する必要がある。本件の取付具１（吊り具６０）は、第２支持体６８を第２固着体６１に対して前方や後方にスライド移動（相対移動）させることで、軒樋８０を支持する位置（樋支持位置）を前後に調整することができる。
【００５７】
そして、本例の吊り具６０は、第２支持体６８の連結部６９に、スライド方向に沿って長尺の長穴１８（第２スライド孔７１）が設けてある。そして、吊り具６０は、この長穴１８の長手方向（スライド方向）に沿った周縁に、第２凹部７６を長手方向に並んで複数有する。また、吊り具６０は、第２固着体６１の第２突出部６３（第２板状部６５）の第２凹部７６と嵌り合う位置に、第２突起７５が設けてある。更に、吊り具６０は、第２固着部６２の第２突起７５を設けた部位の左右両側に、第２突起７５と第２凹部７６との嵌り合いを解除する第２操作部７７を有する。
【００５８】
これらによって、本例の吊り具６０は、第２支持体６８をスライド不能とした状態から、第２操作部７７によって第２規定部７４の位置規定を解除することで、第２支持体６８をスライド可能な状態に切り替えることができる。そのため、本例の吊り具６０は、支持体と固着体とを互いに当接した状態で蝶ナット等で締め付けて固定した吊り具と異なり、蝶ナットの緩め作業等を行わなくても、容易にスライド可能な状態に切り替えることができる。
【００５９】
つまり、本例の吊り具６０は、スライド自在でない吊り具はもちろん、蝶ナット等で締め付け固定した吊り具に比べて、第２支持体６８の第２固着体６１に対する前後位置を調整し易くすることができる。これによって、本例の吊り具６０は、軒樋８０の前後位置（樋支持位置）を調整し易くすることができて、軒樋８０と屋根との相対位置を調整し易くすることができる。そして、本例の吊り具６０は、第２支持体６８の第２固着体６１に対する向きを変更せずに、第２支持体６８の第２固着体６１に対する前後位置を変更することができる。そのため、本例の吊り具６０は、軒樋８０を支持する姿勢で、第２支持体６８の第２固着体６１に対する前後位置を調整することができる。
【００６０】
なお、本発明は、前述の第１実施形態や第２実施形態の構成のみに限定されるものではなく、本発明の意図する範囲内であれば、適宜の設計変更を行うことが可能である。例えば、取付具１は、控具３０の場合、覆い片３８に長穴１８を設け、側板部４２（竪樋支持部４５）の後面に第１突起５０を設けたもの等であってもよい。また、取付具１は、控具３０の場合、例えば、第１突出部３３の先端面に第１スライド軸３６を一体に設けて、第１固着体３１を平面視略Ｔ字形状や、平面視略Ｌ字形状としたもの等であってもよい。また、取付具１は、吊り具６０の場合、例えば、第２板状部６５に長穴１８を設け、連結部６９の上面に第２突起７５を設けたもの等であってもよい。
【００６１】
また、取付具１は、突起１６をいずれの凹部１７に嵌め合わせるかによって、支持体１０を固着体２に対してスライド自在になっている。そのため、取付具１は、スライド軸８や抜け止め部２３を備えずに、突起１６と凹部１７との嵌り合いで、支持体１０を固着体２に取り付ける（支持する）ものであってもよい。また、例えば、軸部材２０は、頭部２１と抜け止め部２３とで、軸部２２を支持体１０と固着体２とに挿通した状態に抜け止めするものであれば、支持体１０側に頭部２１が位置し、固着体２側に抜け止め部２３が位置するもの等であってもよい。また、軸部材２０は、頭部２１を備えずに、軸部２２の軸方向の両端に夫々抜け止め部２３を設けたもの等あってもよい。
【符号の説明】
【００６２】
１  取付具
２  固着体
１０  支持体
１５  規定部
１６  突起
１７  凹部
１８  長穴
１９  操作部
２７  樋
３０  控具
３１  第１固着体
３８  覆い片
４０  第１支持体
４９  第１規定部
５０  第１突起
５１  第１凹部
５２  第１操作部
５５  竪樋
６０  吊り具
６１  第２固着体
６８  第２支持体
７４  第２規定部
７５  第２突起
７６  第２凹部
７７  第２操作部
８０  軒樋
【図１】
2013163935.tif 000003
【図２】
2013163935.tif 000004
【図３】
2013163935.tif 000005
【図４】
2013163935.tif 000006
【図５】
2013163935.tif 000007
【図６】
2013163935.tif 000008
【図７】
2013163935.tif 000009
【図８】
2013163935.tif 000010
【図９】
2013163935.tif 000011
【図１０】
2013163935.tif 000012
【図１１】
2013163935.tif 000013